(57)【要約】【課題】この発明は、シャッターロックキーをキーインターロックすることにより、遮断器の挿入を確実に防止することができるスイッチギヤを提供するものである。【解決手段】遮断器が断路位置にあるときにシャッターをロックするシャッターロックキーと、シャッターロックキーが挿入されるシャッターロックキー挿入部と、遮断器が断路位置に引き出されたときに作動するレバー片と、レバー片の作動によりシャッターロックキーが回動可能となり、シャッターロックキーの回動により突出されシャッターの開きを阻止するシリンダロッドと、シリンダロッドが突出したときシャッターロックキー挿入部から抜き出されるシャッターロックキーを保管するシャッターロックキー保管部と、シャッターロックキー保管部に保管されたシャッターロックキーをキーインターロックするチェンジキーと、チェンジキーが着脱されるチェンジキー着脱部とを備えたものである。【選択図】図１
2011234542.tif 000002
【特許請求の範囲】
【請求項１】
遮断器が挿入および引出される遮断器室と、前記遮断器室に設けられた遮断器室扉と、前記遮断器室扉に設けられた遮断器操作ハンドル挿入口と、前記遮断器操作ハンドル挿入口を開閉するためのシャッターと、前記遮断器が断路位置にあるときに前記シャッターが開くのをロックするためのシャッターロックキーと、前記遮断器室扉に設けられた前記シャッターロックキーが挿入されるシャッターロックキー挿入部と、前記遮断器が断路位置に引き出されたときに作動するレバー片と、前記レバー片の作動により前記シャッターロックキーが回動可能となり、前記シャッターロックキーの回動により突出され前記シャッターの開きを阻止するシリンダロッドと、前記シリンダロッドが突出したとき前記シャッターロックキー挿入部から抜き出される前記シャッターロックキーを保管するシャッターロックキー保管部と、前記シャッターロックキー保管部に挿入して保管された前記シャッターロックキーをキーインターロックするためのチェンジキーと、前記チェンジキーが着脱されるチェンジキー着脱部とを備えたことを特徴とするスイッチギヤ。
【請求項２】
請求項1に記載のスイッチギヤにおいて、前記チェンジキー着脱部に前記チェンジキーが挿入されており、前記シャッターロックキーが前記シャッターロックキー保管部に挿入されることにより、前記チェンジキーと前記シャッターロックキーを連動して回動させて前記チェンジキーを抜き取ることによって前記シャッターロックキーを前記シャッターロックキー保管部にキーインターロックするようにしたことを特徴とするスイッチギヤ。
【請求項３】
請求項1に記載のスイッチギヤにおいて、前記チェンジキー着脱部に前記チェンジキーが挿入され、前記シャッターロックキーが前記シャッターロックキー保管部に挿入されたとき、ロック位置に回動して前記遮断器の挿入側への移動を阻止する阻止体を回動させるキーインターロック操作ハンドルを設け、前記キーインターロック操作ハンドルの回動により前記チェンジキーと前記シャッターロックキーを回動させて前記キーインターロック操作ハンドルをロックするとともに前記チェンジキーを抜き取ることによって前記シャッターロックキーを前記シャッターロックキー保管部にキーインターロックするようにしたことを特徴とするスイッチギヤ。
【請求項４】
前記請求項１ないし前記請求項３のいずれか１項に記載のスイッチギヤにおいて、アーシングスイッチ盤が併設され、前記アーシングスイッチ盤には、前記チェンジキーが挿入されるチェンジキー挿入部と、前記アーシングスイッチ盤のアーシングスイッチを投入操作するためのアーシングスイッチ操作ハンドル挿入口と、前記アーシングスイッチ操作ハンドル挿入口を開閉するためのアーシングスイッチ用シャッターと、前記チェンジキー挿入部に前記チェンジキーが挿入されたとき、アンロック位置に回動して前記アーシングスイッチを投入操作できるように前記アーシングスイッチ用シャッターを開放するためのキーインターロック操作ハンドルとが設けられ、前記キーインターロック操作ハンドルの回動により前記チェンジキーを回動させて前記キーインターロック操作ハンドルをロック状態からアンロック状態とするとともに前記チェンジキーをキーインターロックするようにしたことを特徴とするスイッチギヤ。
【請求項５】
前記請求項１ないし前記請求項３のいずれか１項に記載のスイッチギヤにおいて、前記スイッチギヤが複数配設されるとともにアーシングスイッチ盤が併設され、前記アーシングスイッチ盤には、前記各スイッチギヤの前記チェンジキーがそれぞれ挿入される複数のチェンジキー挿入部と、前記アーシングスイッチ盤のアーシングスイッチを投入操作するためのアーシングスイッチ操作ハンドル挿入口と、前記アーシングスイッチ操作ハンドル挿入口を開閉するためのアーシングスイッチ用シャッターと、前記各チェンジキー挿入部に前記各チェンジキーが挿入されたとき、アンロック位置に回動して前記アーシングスイッチを投入操作できるように前記アーシングスイッチ用シャッターを開放するためのキーインターロック操作ハンドルとが設けられ、前記キーインターロック操作ハンドルの回動により前記各チェンジキーを回動させて前記キーインターロック操作ハンドルをロック状態からアンロック状態とするとともに前記各チェンジキーをキーインターロックするようにしたことを特徴とするスイッチギヤ。
【発明の詳細な説明】
【技術分野】
【０００１】
この発明は、例えば、真空遮断器などの遮断器が断路位置にあるとき、誤った操作を確実に防止するスイッチギヤに関し、特にキーインターロック機構に関するものである。
【背景技術】
【０００２】
従来、遮断器として真空遮断器を使用したスイッチギヤとして図１５に示すものがあり、図は一例として受電盤からなるスイッチギヤの場合を示している。受電盤１の遮断器室２内の真空遮断器（図示せず）を遮断器室扉３を閉めた状態でその真空遮断器の挿入（投入）および引出（断路）を外部より操作する場合、シャッターレバー５によりシャッター（図示せず）を開いて遮断器操作ハンドル挿入部６に操作ハンドル（図示せず）を挿入する。
【０００３】
ところで、真空遮断器が断路位置に引き出されているとき、真空遮断器が挿入されないよう、シャッターを閉じてシャッターロックキー挿入部１２に差し込まれたシャッターロックキー（図示せず）でシャッターを施錠し、シャッターロックキーを引き抜き遮断器操作ハンドル挿入口６に操作ハンドルが挿入できないようにしている。
【０００４】
遮断器操作ハンドル挿入口６に操作ハンドルが挿入できないので、挿入必要な条件が揃わないときは真空遮断器の挿入を防止するようにしている。
【０００５】
また、他の従来例として、遮断器が断路位置にあるとき、鍵を錠前に差し込んで回動させることによりその錠前のロッドを下端側に進出させ、錠前のロッドが下端側に進出することによりロッドピンを下方側に移動させる。
【０００６】
ロッドピンが下方側に移動することによりそのロッドピンの先端部が操作片のピン穴に係合して、操作ハンドルが角柱状部に差し込めない状態とする。操作ハンドルが角柱状部に差し込めないので、操作軸を回動できない。したがって、操作軸と連結された遮断器が挿入を防止するようにしている。（特許文献１参照）
【先行技術文献】
【特許文献】
【０００７】
【特許文献１】特開平２−１９３５０６号公報
【発明の概要】
【発明が解決しようとする課題】
【０００８】
上述した従来のスイッチギヤのキーインターロック機構は、真空遮断器が断路位置に引き出されているとき、真空遮断器が投入されないようにシャッターロックキー（図示せず）でシャッターを施錠し、シャッターロックキーを引き抜き遮断器操作ハンドル挿入口６に操作ハンドルが挿入できないようにしていたとしても、真空遮断器の状態を充分に確認しないで誤ってそのシャッターロックキーをシャッターロックキー挿入部１２に差し込んで回動させ、シャッターを開いて遮断器操作ハンドル挿入口６に操作ハンドルを挿入して真空遮断器を挿入できるという問題点があった。すなわち、シャッターロックキーをキーインターロックする構成とはなっていなかった。
【０００９】
また、従来の特許文献1に記載のスイッチギヤのキーインターロック機構は、遮断器が断路位置にあるとき、鍵を錠前に差し込んで回動させることによりその錠前のロッドを上端側に進入させ、錠前のロッドが上端側に進入することによりロッドピンが上方側に移動する。ロッドピンが上方側に移動することによりそのロッドピンの先端部が操作片のピン穴から抜け出て係合状態が解除され、操作ハンドルが角柱状部に差し込める状態となる。したがって、操作ハンドルを角柱状部に差し込んで操作軸を回動してその操作軸と連結された遮断器を挿入できるというという問題点があった。すなわち、鍵をキーインターロックする構成とはなっていなかった。
【００１０】
この発明は、上記のような課題を解決するためになされたものであり、その目的は、シャッターロックキーをキーインターロックすることにより、遮断器の挿入を確実に防止することができるスイッチギヤを提供するものである。
【課題を解決するための手段】
【００１１】
この発明に係わるスイッチギヤは、遮断器が挿入および引出される遮断器室と、前記遮断器室に設けられた遮断器室扉と、前記遮断器室扉に設けられた遮断器操作ハンドル挿入口と、前記遮断器操作ハンドル挿入口を開閉するためのシャッターと、前記遮断器が断路位置にあるときに前記シャッターが開くのをロックするためのシャッターロックキーと、前記遮断器室扉に設けられた前記シャッターロックキーが挿入されるシャッターロックキー挿入部と、前記遮断器が断路位置に引き出されたときに作動するレバー片と、前記レバー片の作動により前記シャッターロックキーが回動可能となり、前記シャッターロックキーの回動により突出され前記シャッターの開きを阻止するシリンダロッドと、前記シリンダロッドが突出したとき前記シャッターロックキー挿入部から抜き出される前記シャッターロックキーを保管するシャッターロックキー保管部と、前記シャッターロックキー保管部に挿入して保管された前記シャッターロックキーをキーインターロックするためのチェンジキーと、前記チェンジキーが着脱されるチェンジキー着脱部とを備えたものである。
【発明の効果】
【００１２】
この発明に係わるスイッチギヤによれば、シャッターロックキーをキーインターロックするようにしたことにより、遮断器が断路位置にあるときに遮断器の挿入を確実に防止することができるスイッチギヤを得ることができる。
【図面の簡単な説明】
【００１３】
【図１】この発明の実施の形態１に係わるスイッチギヤを示す正面図である。
【図２】この発明の実施の形態１に係わるスイッチギヤを示す断面側面図である。
【図３】この発明の実施の形態１に係わるスイッチギヤにおけるシャッターロックキー挿入部を示す側面図である。
【図４】この発明の実施の形態1に係わるスイッチギヤの要部を示す正面図である。
【図５】この発明の実施の形態1に係わるスイッチギヤの要部を示す正面図である。
【図６】この発明の実施の形態1に係わるスイッチギヤの要部を詳細に示す正面図である。
【図７】この発明の実施の形態1に係わるスイッチギヤにおける阻止体を示す断面側面図である。
【００１４】
【図８】この発明の実施の形態２に係わるスイッチギヤを示す正面図である。
【図９】この発明の実施の形態２に係わるスイッチギヤを示す正面図である。
【図１０】この発明の実施の形態２に係わるスイッチギヤを示す断面側面図である。
【図１１】この発明の実施の形態２に係わるスイッチギヤの要部を示す正面図である。
【図１２】この発明の実施の形態２に係わるスイッチギヤの要部を示す正面図である。
【図１３】この発明の実施の形態２に係わるスイッチギヤの要部を詳細に示す正面図である。
【図１４】この発明の実施の形態２に係わるスイッチギヤの要部を詳細に示す正面図である。
【図１５】従来のスイッチギヤを示す正面図である。
【発明を実施するための形態】
【００１５】
実施の形態１．
以下、この発明の実施の形態１を図１ないし図７に基づいて説明するが、各図において、同一、または相当部材、部位については同一符号を付して説明する。図１はこの発明の実施の形態１に係わるスイッチギヤを示す正面図である。図２はこの発明の実施の形態１に係わるスイッチギヤを示す断面側面図である。図３はこの発明の実施の形態１に係わるスイッチギヤにおけるシャッターロックキー挿入部を示す側面図である。図４はこの発明の実施の形態1に係わるスイッチギヤの要部を示す正面図である。図５はこの発明の実施の形態1に係わるスイッチギヤの要部を示す正面図である。図６はこの発明の実施の形態1に係わるスイッチギヤの要部を詳細に示す正面図である。図７はこの発明の実施の形態1に係わるスイッチギヤにおける阻止体を示す断面側面図である。
【００１６】
これら各図において、１はスイッチギヤであり、図は一例として、受電盤からなる場合を示している。２は例えば真空遮断器からなる遮断器１６が配設され、遮断器１６が挿入および引出（断路）される遮断器室である。３は遮断器室２に設けられた遮断器室扉である。４は遮断器室扉３を開閉する開閉レバーである。５は遮断器室扉３に設けられ、後述する遮断器操作ハンドル挿入口６を開閉するためのシャッター８と連結されたシャッターレバー、６は遮断器室扉３に設けられた遮断器１６を操作するための操作ハンドル（図示せず）が挿入される遮断器操作ハンドル挿入口である。このように、遮断器室扉３を閉じた状態において、真空遮断器からなる遮断器１６の挿入および引出（断路）を外部より操作ハンドル（図示せず）により操作する構成となっている。
【００１７】
９は種々の制御機器が収納された制御機器室である。１０は制御機器室９に設けられた制御機器室扉である。１１は制御機器室扉１０を開閉する開閉レバーである。
【００１８】
１２は遮断器室扉３に設けられ、シャッター８が開くのをロックするためのシャッターロックキー２４が挿入されるシャッターロックキー挿入部である。なお、遮断器１６が挿入されているとき、シャッターロックキー２４はシャッターロックキー挿入部１２から取り出せないようになっているとともに回動できないようになっている。また、遮断器１６が引出（断路）されて断路位置Ｄにあるとき、シャッターロックキー２４は回動してシャッター８が開くのをロックするとともにシャッターロックキー挿入部１２から取り出せるように構成されている。
【００１９】
１３はシャッターロックキー挿入部１２から抜き出されるシャッターロックキー２４を保管するシャッターロックキー保管部である。１４はシャッターロックキー保管部１３に挿入して保管されたシャッターロックキー２４をキーインターロックするためのチェンジキー（図示せず）が着脱されるチェンジキー着脱部である。
【００２０】
１５はチェンジキー着脱部１４にチェンジキーが挿入され、シャッターロックキー２４がシャッターロックキー保管部１３に挿入されたとき、アンロック位置からロック位置に回動して遮断器１６の挿入側への移動を阻止する阻止体３７を回動させるキーインターロック操作ハンドルである。このキーインターロック操作ハンドル１５の回動によりチェンジキーとシャッターロックキー２４を連動して回動させてキーインターロック操作ハンドル１５をロック位置にロックするとともにチェンジキーを抜き取ることによってシャッターロックキー２４をシャッターロックキー保管部１３にキーインターロックするようにしている。
【００２１】
１７は母線室、１８は三相の母線、１９は分岐導体、２０はケーブル室、２１は遮断器室２の天井放圧フラッパ、２２は母線室１７の天井放圧フラッパ、２３はケーブル室２０の天井放圧フラッパである。
【００２２】
次に、シャッターロックキー挿入部１２周辺の機構について図３に基づいて説明する。図３の実線で示す状態は遮断器１６が挿入されている状態であり、シャッターロックキー２４はシャッターロックキー挿入部１２に挿入されてシリンダ錠２５に差し込まれている。シリンダ錠２５のシリンダロッド２６はレバー片２８の下部レバー片２８ｂに当たって突出できないようになっている。すなわち、シャッターロックキー２４を回動させるこができないとともにシャッターロックキー２４はシャッターロックキー挿入部１２から抜き出せない状態となっている。
【００２３】
なお、レバー片２８は遮断器１６が断路位置Ｄ側に引き出されたときに作動し、支持金具２７に設けられた支軸ピン２９により回動可能となっているとともに、固定金具３０と支持金具２７に跨設されたばね部材３１によりレバー片２８が復動されるようになっている。
【００２４】
図３の実線で示す状態から遮断器１６が断路位置Ｄ側に引出（断路）されてくると、遮断器１６に設けられたロック用ピン１６ａがレバー片２８の上部レバー片２８ａに当接してその上部レバー片２８ａを支軸ピン２９を中心として回動させ、遮断器１６が断路位置Ｄに引出（断路）されたとき、上部レバー片２８ａは破線で示す位置まで回動される。
【００２５】
遮断器１６が断路位置Ｄに引出（断路）され、上部レバー片２８ａが破線で示す位置まで回動される動作と連動してレバー片２８の下部レバー片２８ｂも支軸ピン２９を中心として回動して破線で示す位置まで回動される。
【００２６】
レバー片２８の下部レバー片２８ｂが支軸ピン２９を中心として回動して破線で示す位置まで回動されると、シリンダ錠２５のシリンダロッド２６は開放状態となる。
【００２７】
このように、遮断器１６が断路位置Ｄに引出（断路）されることにより、レバー片２８の下部レバー片２８ｂが支軸ピン２９を中心として回動して破線で示す位置まで回動されるので、シリンダ錠２５のシリンダロッド２６は開放状態となってシャッターロックキーが回動可能となり、シャッターロックキー２４を時計方向に回動してシリンダロッド２６を突出させる。
【００２８】
シャッターロックキー２４を時計方向に回動してシリンダロッド２６を突出させたことにより、シャッター８はシリンダロッド２６の突出部により上方向に開くことが阻止される。したがって、遮断器操作ハンドル挿入口６がシャッター８により閉じられた状態となっており、操作ハンドルを遮断器操作ハンドル挿入口６に差し込むことができないので、遮断器１６が断路位置Ｄに引出（断路）されたとき、遮断器１６が挿入されるのを防止している。
【００２９】
ところで、シャッターロックキー２４を時計方向に回動してシリンダロッド２６を突出させた状態において、シャッターロックキー２４をシャッターロックキー挿入部１２から抜き出すことができる。
【００３０】
しかしながら、遮断器１６が断路位置Ｄに保持しておかなければならない状態において、シャッターロックキー２４をシャッターロックキー挿入部１２に差し込んで、シャッターロックキー２４を反時計方向に回動することによりシリンダ錠２５のシリンダロッド２６は引っ込まれるので、シャッター８はシリンダロッド２６に阻止されることなく上方向に開くことが可能となる。シャッター８が上方向に開くことができれば、遮断器操作ハンドル挿入口６が開放されるので、操作ハンドルを遮断器操作ハンドル挿入口６に差し込むことができ、誤って遮断器１６が挿入されてしまうことが考えられる。
【００３１】
遮断器１６が断路位置Ｄに保持しておかなければならない状態において、誤って遮断器１６が挿入されてしまうことがないように、シャッターロックキー２４をシャッターロックキー挿入部１２に差し込めないようにするキーインターロックする機構について、図４ないし図６に基づいて説明する。
【００３２】
まず、遮断器１６が断路位置Ｄに引出（断路）されたとき、レバー片２８の下部レバー片２８ｂが回動してシリンダ錠２５のシリンダロッド２６が開放されるので、シャッターロックキー２４を時計方向に回動してシリンダロッド２６を突出させてシャッター８上方向に開くことを阻止するとともにそのシャッターロックキー２４をシャッターロックキー挿入部１２から抜き出す。
【００３３】
次に、シャッターロックキー挿入部１２から抜き出したシャッターロックキー２４をシャッターロックキー保管部１３に挿入する。このとき、チェンジキー着脱部１４にはチェンジキー（図示せず）が挿入されている。
【００３４】
そして、キーインターロック操作ハンドル１５を時計方向に９０度回動させてロック位置で保持する。この状態でシャッターロックキー保管部１３に挿入したシャッターロックキー２４を時計方向に９０度回動させると、このシャッターロックキー２４の回動と連動してチェンジキー着脱部１４に挿入されたチェンジキーも回動して施錠し、チェンジキー着脱部１４からチェンジキーを抜き取ることにより、シャッターロックキー２４はシャッターロックキー保管部１３にキーインターロックされて抜き出すことができない。
【００３５】
以上のように、シャッターロックキー２４はシャッターロックキー保管部１３にキーインターロックされて抜き出すことができないように構成したことにより、シャッターロックキー２４をシャッターロックキー挿入部１２に差し込むことができないので、遮断器１６が断路位置Ｄに保持しておかなければならない状態において、誤って遮断器１６が挿入されてしまうことが全くない安全性に優れた構成とすることができる。
【００３６】
また、図６は図４および図５の構成を詳細に示す図であり、シャッターロックキー保管部１３およびチェンジキー着脱部１４はシリンダ錠３２に連結されており、キーインターロック操作ハンドル１５はカム３４とカム軸３５を有しており、カム３４はカム軸３５を中心として時計方向に９０度回動している状態を示している。
【００３７】
キーインターロック操作ハンドル１５のカム３４は図６の実線で示すように時計方向に９０度回動してロック位置に保持した状態で、シャッターロックキー保管部１３からシリンダ錠３２に挿入されているシャッターロックキー２４およびチェンジキー着脱部１４に挿入されているチェンジキーは連動して回動するので、シャッターロックキー２４を時計方向に回動することによりチェンジキーも連動して回動してシリンダ錠３２のシリンダロッド３３を突出させてカム３４と係合させる。このように、シリンダロッド３３を突出させてカム３４と係合させることにより、カム３４は反時計方向に回動できないのでロック状態が保持される。
【００３８】
また、シャッターロックキー２４を時計方向に回動することによりチェンジキーも連動して回動することにより施錠され、チェンジキーを抜き取ることにより、シャッターロックキー２４はシャッターロックキー保管部１３にキーインターロックされて抜き出すことができないように構成したものである。
【００３９】
また、キーインターロック操作ハンドル１５のカム軸３５と同軸上に阻止体収容室３６に収容した阻止体３７を設けており、遮断器１６が挿入されているときは遮断器室床面Ｙより上方に突出できない構成であるとともに、遮断器１６が断路位置Ｄに引出（断路）されたとき、キーインターロック操作ハンドル１５が時計方向に９０度回動してロック状態に保持されることにより、キーインターロック操作ハンドル１５のカム軸３５と同軸上に設けられた阻止体３７も連動して回動し、阻止体３７の先端部が遮断器室床面Ｙより上方に突出して保持されるように構成しており、遮断器１６が断路位置Ｄに保持しておかなければならない状態において、誤って遮断器１６が挿入されないように阻止しており、さらなる安全性を高めることができる構成としている。
【００４０】
ところで、遮断器１６を断路位置Ｄから挿入する場合には、チェンジキーをチェンジキー着脱部１４に挿入し、シャッターロックキー保管部１３に挿入されたシャッターロックキー２４を反時計方向に回動することによりチェンジキーも連動して回動する。シャッターロックキー２４を反時計方向に回動したことにより、シリンダ錠３２シリンダロッド３３が引っ込んでキーインターロック操作ハンドル１５のカム３４との係合が外れ、カム３４は図６の破線で示す反時計方向に９０度回動してアンロック位置に保持された状態となる。
【００４１】
そして、キーインターロック操作ハンドル１５のカム軸３５と同軸上に設けた阻止体３７も図７の破線で示す反時計方向に回動して遮断器室床面Ｙ下部の阻止体収容室３６に収容され、遮断器１６を挿入できる状態となる。
【００４２】
シャッターロックキー２４を反時計方向に回動することによりチェンジキーも連動して回動することにより施錠され、シャッターロックキー保管部１３からシャッターロックキー２４を抜き取ることにより、チェンジキーはチェンジキー着脱部１４にキーインターロックされて抜き出すことができない。
【００４３】
シャッターロックキー保管部１３から抜き取ったシャッターロックキー２４をシャッターロックキー挿入部１２に挿入し、そのシャッターロックキー２４を反時計方向に回動することによりシリンダ錠２５のシリンダロッド２６は引っ込まれるので、シャッター８はシリンダロッド２６に阻止されることなく上方向に開くことが可能となる。
【００４４】
そして、シャッターレバー５によりシャッター８を上方向に開いて遮断器操作ハンドル挿入口６を開放し、操作ハンドルを遮断器操作ハンドル挿入口６に差し込んで操作することにより遮断器１６を挿入することができる。
【００４５】
遮断器１６を断路位置Ｄから挿入することにより、遮断器１６に設けられたロック用ピン１６ａがレバー片２８の上部レバー片２８ａから外れ、レバー片２８が支軸ピン２９を中心として時計方向に回動する。このレバー片２８の回動に伴い下部レバー片２８ｂも時計方向に回動し、シリンダ錠２５のシリンダロッド２６が突出できない位置に復帰する。なお、この状態においてはシャッターロックキー２４がシャッターロックキー挿入部１２から抜き出せないようになっている。
【００４６】
実施の形態２．
この発明の実施の形態２に係るスイッチギヤを図８ないし図１４に基づいて説明する。図８はこの発明の実施の形態２に係わるスイッチギヤを示す正面図である。図９はこの発明の実施の形態２に係わるスイッチギヤを示す正面図である。図１０はこの発明の実施の形態２に係わるスイッチギヤを示す断面側面図である。図１１はこの発明の実施の形態２に係わるスイッチギヤの要部を示す正面図である。図１２はこの発明の実施の形態２に係わるスイッチギヤの要部を示す正面図である。図１３はこの発明の実施の形態２に係わるスイッチギヤの要部を詳細に示す正面図である。図１４はこの発明の実施の形態２に係わるスイッチギヤの要部を詳細に示す正面図である。
【００４７】
上述した実施の形態１においては、スイッチギヤが受電盤からなる場合について述べたが、この実施の形態２においては、スイッチギヤはアーシングスイッチ盤が併設された場合を示すとともに、さらに、スイッチギヤは受電盤と同様の構成を有する２つの母線連絡盤が設けられた場合を示している。なお、図８において、各スイッチギヤ１０１，１０２，１０３およびアーシングスイッチ盤１０４との間が空間を有する状態で図示しているが、一般的には各スイッチギヤ１０１，１０２，１０３およびアーシングスイッチ盤１０４との間に空間が無く、それぞれが連接されて一体的に構成される。
【００４８】
これら各図において、スイッチギヤ１０１は上述した実施の形態１と同様の受電盤から構成されており、シャッターロックキー２４を挿入するシャッターロックキー挿入部１２、シャッターロックキー保管部１３、チェンジキー着脱部１４、キーインターロック操作ハンドル１５を具備している。
【００４９】
スイッチギヤ１０２およびスイッチギヤ１０３はスイッチギヤ１０１と同様の機構を有する母線連絡盤であり、スイッチギヤ１０１と同様に、シャッターロックキー２４を挿入するシャッターロックキー挿入部１２、シャッターロックキー保管部１３、チェンジキー着脱部１４、キーインターロック操作ハンドル１５を具備している。
【００５０】
１０４はスイッチギヤ１０１，１０２，１０３に併設されたアーシングスイッチ盤であり、このアーシングスイッチ盤１０４には、スイッチギヤ１０１，１０２，１０３の各チェンジキーが挿入される複数のチェンジキー挿入部１０５，１０６，１０７と、アーシングスイッチ盤１０４のアーシングスイッチ１０８を投入操作するためのアーシングスイッチ操作ハンドル挿入口１０９と、アーシングスイッチ操作ハンドル挿入口１０９を開閉するためのアーシングスイッチ用シャッター１１０と、このアーシングスイッチ用シャッター１１０と連結されたシャッターレバー１１１と、各チェンジキー挿入部１０５，１０６，１０７にそれぞれに対応した各チェンジキー（図示せず）が挿入されたとき、アンロック位置に回動してアーシングスイッチ１０８を投入操作できるようにアーシングスイッチ用シャッター１１０を開放するためのキーインターロック操作ハンドル１１２とが設けられ、キーインターロック操作ハンドル１１２の回動により各チェンジキーを連動して回動させてキーインターロック操作ハンドル１１２をロック位置の状態からアンロック位置の状態に回動するとともに各チェンジキー挿入部１０５，１０６，１０７に各チェンジキーをキーインターロックする構成となっている。
【００５１】
次に、アーシングスイッチ盤１０４のアーシングスイッチ１０８を投入操作するためには、各スイッチギヤ１０１，１０２，１０３の遮断器が断路位置にある必要がある。すなわち、上述した実施の形態１と同様の動作を行った上で、各スイッチギヤ１０１，１０２，１０３のそれぞれのチェンジキーを各チェンジキー着脱部１４から抜き取ってアーシングスイッチ盤１０４の各チェンジキー挿入部１０５，１０６，１０７に挿入する。
【００５２】
例えば、スイッチギヤ１０１のチェンジキーはチェンジキー挿入部１０５に挿入し、スイッチギヤ１０２のチェンジキーはチェンジキー挿入部１０６に挿入し、スイッチギヤ１０３のチェンジキーはチェンジキー挿入部１０７に挿入するように挿入位置を規定している。
【００５３】
図１２はキーインターロック操作ハンドル１１２がロック位置の状態に保持されており、図１３に示すように、各チェンジキー挿入部１０５，１０６，１０７はシリンダ錠１１３に連結されており、キーインターロック操作ハンドル１１２のカム１１５がカム軸１１６を中心として図１３の実線にて示すように時計方向に９０度回動し、各チェンジキーのいずれか１個のチェンジキーを時計方向に９０度回動させてシリンダ錠１１３のシリンダロッド１１４を突出させその突出部とカム１１５が係合して反時計方向に回動できないのでロック状態に保持されている。
【００５４】
キーインターロック操作ハンドル１１２がロック状態に保持されたことにより、アーシングスイッチ用シャッター１１０が閉じてアーシングスイッチ操作ハンドル挿入口１０９が全閉されており、アーシングスイッチ操作ハンドル（図示せず）がアーシングスイッチ操作ハンドル挿入口１０９に差し込めないので、アーシングスイッチ１０８の投入操作ができないように構成されている。
【００５５】
そして、アーシングスイッチ盤１０４の各チェンジキー挿入部１０５，１０６，１０７に各スイッチギヤ１０１，１０２，１０３のそれぞれのチェンジキーを挿入した後、各チェンジキーのいずれか１個のチェンジキーを反時計方向に９０度回動させると、３個の各チェンジキーが連動して回動して解錠する。すなわち、シリンダ錠１１３のシリンダロッド１１４が引っ込んでキーインターロック操作ハンドル１１２のカム１１５との係合が外れ、カム１１５は図１３の破線で示す反時計方向に９０度回動してアンロック位置に保持された状態となる。このとき、各チェンジキーは各チェンジキー挿入部１０５，１０６，１０７にキーインターロックされて抜き出せないように構成されている。
【００５６】
キーインターロック操作ハンドル１１２が反時計方向に９０度回動してアンロック位置に保持された状態となると、アーシングスイッチ用シャッター１１０が開いてアーシングスイッチ操作ハンドル挿入口１０９が全開され、アーシングスイッチ操作ハンドル（図示せず）がアーシングスイッチ操作ハンドル挿入口１０９に差し込み、アーシングスイッチ用シャフト１１７に連結し、アーシングスイッチ操作ハンドルの操作によりアーシングスイッチ１０８を投入することができる。
【００５７】
ところで、図１４に示すように、カム軸１１６と同軸上にリンク機構１１８の第１カム１１９が設けられ、アーシングスイッチ用シャフト１１７と同軸上にリンク機構１１８の第２カム１２０が設けられている。図１４の実線で示すように、アーシングスイッチ１０８の開放時はリンク機構１１８がアーシングスイッチ用シャフト１１７と同軸上に設けた第２カム１２０と干渉しないので、各チェンジキーのいずれか１個のチェンジキーを時計方向に９０度回動させてシリンダ錠１１３のシリンダロッド１１４を突出させその突出部とカム１１５が係合して反時計方向に回動できないようロック状態に保持されている。
【００５８】
また、アーシングスイッチ１０８の投入時は、図１３の破線で示すように、キーインターロック操作ハンドル１１２が反時計方向に９０度回動されてカム１１５も反時計方向に９０度回動されてアンロック位置に保持されており、また、図１４の破線で示すように、リンク機構１１８がアーシングスイッチ用シャフト１１７と同軸上に設けた第２カム１２０と干渉し、各チェンジキーのいずれか１個のチェンジキーを時計方向に９０度回動させることができないようになっている。
【００５９】
ところで、アーシングスイッチ盤１０４のアーシングスイッチ１０８を開放した後、各スイッチギヤ１０１，１０２，１０３のそれぞれの遮断器を断路位置Ｄから挿入する場合には、キーインターロック操作ハンドル１１２のカム１１５がカム軸１１６を中心として図１３の実線にて示すように時計方向に９０度回動し、各チェンジキーのいずれか１個のチェンジキーを時計方向に９０度回動させてシリンダ錠１１３のシリンダロッド１１４を突出させその突出部とカム１１５に係合させて反時計方向に回動できないようにロック状態に保持する。
【００６０】
次いで、各スイッチギヤ１０１，１０２，１０３のそれぞれのチェンジキーをアーシングスイッチ盤１０４の各チェンジキー挿入部１０５，１０６，１０７から抜き出した後、それぞれのチェンジキーをそれぞれに対応した各スイッチギヤ１０１，１０２，１０３のそれぞれのチェンジキー着脱部１４に挿入する。そして、シャッターロックキー保管部１３に挿入されたシャッターロックキー２４を反時計方向に回動することによりチェンジキーも連動して回動する。シャッターロックキー２４を反時計方向に回動したことにより、シリンダ錠３２シリンダロッド３３が引っ込んでキーインターロック操作ハンドル１５のカム３４との係合が外れ、カム３４は図６の破線で示す反時計方向に９０度回動してアンロック位置に保持された状態とする。
【００６１】
そして、キーインターロック操作ハンドル１５のカム軸３５と同軸上に設けた阻止体３７も図７の破線で示す反時計方向に回動して遮断器室床面Ｙ下部の阻止体収容室３６に収容され、遮断器１６を挿入できる状態とする。
【００６２】
次に、シャッターロックキー２４を反時計方向に回動することによりチェンジキーも連動して回動することにより施錠され、シャッターロックキー保管部１３からシャッターロックキー２４を抜き取る。これにより、チェンジキーはチェンジキー着脱部１４にキーインターロックされて抜き出すことができなくなる。
【００６３】
そして、シャッターロックキー保管部１３から抜き取ったシャッターロックキー２４をシャッターロックキー挿入部１２に挿入し、そのシャッターロックキー２４を反時計方向に回動することによりシリンダ錠２５のシリンダロッド２６を引っ込ませ、シャッター８がシリンダロッド２６に阻止されることなく上方向に開くことができるようにする。
【００６４】
さらに、シャッターレバー５によりシャッター８を上方向に開いて遮断器操作ハンドル挿入口６を開放し、操作ハンドルを遮断器操作ハンドル挿入口６に差し込んで操作して遮断器１６を挿入する。
【００６５】
以上のように、各スイッチギヤ１０１，１０２，１０３の遮断器１６を断路位置Ｄから挿入することにより、遮断器１６に設けられたロック用ピン１６ａがレバー片２８の上部レバー片２８ａから外れ、レバー片２８が支軸ピン２９を中心として時計方向に回動し、このレバー片２８の回動に伴い下部レバー片２８ｂも時計方向に回動してシリンダ錠２５のシリンダロッド２６が突出できない位置に復帰する。なお、この状態においてシャッターロックキー２４がシャッターロックキー挿入部１２から抜き出せないようになっている。
【００６６】
ところで、上述した実施の形態２においては、スイッチギヤが３面とアーシングスイッチ盤が併設された場合について述べたが、これに限定されるものではなく、スイッチギヤが１面とアーシングスイッチ盤が併設された場合や、スイッチギヤが２面あるいは４面以上とアーシングスイッチ盤が併設された場合にも適用することができ、同様の効果を奏する。
【産業上の利用可能性】
【００６７】
この発明は、シャッターロックキーをキーインターロックするようにしたことにより、遮断器が断路位置にあるときに遮断器の挿入を確実に防止することができるスイッチギヤの実現に好適である。
【符号の説明】
【００６８】
１  スイッチギヤ
２  遮断器室
３  遮断器室扉
６  遮断器操作ハンドル挿入口
８  シャッター
１２  シャッターロックキー挿入部
１３  シャッターロックキー保管部
１４  チェンジキー着脱部
１５  キーインターロック操作ハンドル
１６  遮断器
２４  シャッターロックキー
２６  シリンダロッド
２８  レバー片
１０１  スイッチギヤ
１０２  スイッチギヤ
１０３  スイッチギヤ
１０４  アーシングスイッチ盤
１０５  チェンジキー挿入部
１０６  チェンジキー挿入部
１０７  チェンジキー挿入部
１０８  アーシングスイッチ
１０９  アーシングスイッチ操作ハンドル挿入口
１１０  アーシングスイッチ用シャッター
１１２  キーインターロック操作ハンドル
【図１】
2011234542.tif 000003
【図２】
2011234542.tif 000004
【図３】
2011234542.tif 000005
【図４】
2011234542.tif 000006
【図５】
2011234542.tif 000007
【図６】
2011234542.tif 000008
【図７】
2011234542.tif 000009
【図８】
2011234542.tif 000010
【図９】
2011234542.tif 000011
【図１０】
2011234542.tif 000012
【図１１】
2011234542.tif 000013
【図１２】
2011234542.tif 000014
【図１３】
2011234542.tif 000015
【図１４】
2011234542.tif 000016
【図１５】
2011234542.tif 000017